(57)【要約】【課題】排水管の内部の汚れを確実に洗浄することのできる排水管洗浄ノズル装置を提供する。【解決手段】排水管１の中を回転しながら前進し、高圧噴射水で排水管１の内部を洗浄する洗浄ノズル１０において、後半部がホース２に接続され、前半部の周壁に通水路２１に連通する孔部２２を穿設した貫通型通水路付主軸２０の前半部に回転自在に嵌合し、内周面の中央部分に孔部２２を介して通水路２１に連通する空間凹部３１を有するローター３０を備えたノズル装置である。このローター３０には、空間凹部３１から斜め後方に鋭角な傾斜角度αで穿設され、当該ローター３０に一方向への回転力と推進力を与える主噴射通路３２が一つまたは複数設けられ、また、空間凹部３１から鋭角な傾斜角度αより大きい傾斜角度βで穿設され、ローター３０の一方向への回転力を抑制する副噴射通路３３が設けられている。【選択図】          図１
0003112808.tif 000002
【実用新案登録請求の範囲】
【請求項１】
排水管（１）の中を回転しながら前進し，高圧噴射水で前記排水管の内部を洗浄する洗浄ノズル（１０）において、
後半部に設けたホース連結部（２６）にホース（２）が接続され，前半部の筒状周壁に前記通水路に連通する孔部（２２）を穿設し、貫通型通水路付主軸（２０）の前後方向中程外面にフランジ部（２３）を設け、フランジ部（２３）より前方の主軸（２０）外周は、軸支部（２４）を形成し、外面が中央の円筒部（３５）と前後のテーパー部（３６，３６）と前後両端の環状面（３７，３７）とから形成され且つ前後環状面（３７，３７）の中心を貫く軸受孔（３８）との中程に環状の空間凹部（３１）を形成して軸受孔（３８）を前後に二分し、前後の軸受孔（３８，３８）にはそれぞれラビリンスパッキン用環状溝（３９）を形成したところのローター（３０）の軸受孔（３８）を前記軸支部（２４）に嵌めて回動自在に軸支させ、
前端にガイド形成部（４１）を連結したストッパー（４０）の後方伸長軸部（４２）の前後方向中程に鍔部（４３）を設けると共に該鍔部（４３）より後方の軸部（４２）に設けたねじ部（４４）を主軸（２０）の前端に設けた螺孔（２５）に捻込み、ローター（３０）の前後両端をフランジ部（２３）と鍔部（４３）との間に規定してローター（３０）の抜止めとし、
該ローターには，前記空間凹部から斜め後方に鋭角な傾斜角度（α）で穿設され，該ローターに一方向への回転力と推進力を与える主噴射通路（３２）が一つまたは複数設けられると共に，前記空間凹部から前記鋭角な傾斜角度より大きい傾斜角度（β）で穿設され，前記ローターの一方向への回転力を抑制する副噴射通路（３３）が設けられ、
かつ，前記主噴射通路は，前記空間凹部の左右端部から中心線Ｌに対して垂直方向または略垂直方向に向けて形成されると共に，前記副噴射通路は，前記空間凹部の左右周端部から中心線Ｌに対して垂直方向または略垂直方向に向けて形成されたことを特徴とする排水管洗浄ノズル装置。
【考案の詳細な説明】
【技術分野】
【０００１】
本考案は、排水管内を回転しながら進み、その内部を噴射水によって洗浄することのできる排水管洗浄ノズル装置に関するものである。
【背景技術】
【０００２】
従来、家庭の排水管の内部を洗浄するための手段として、ホースの先端に、８個の噴射口を設けたノズルを取付け、その噴射口から噴射される高圧水の推進力で排水管内を前進移動すると共にその内部を洗浄するようにしたものがある。
【０００３】
また、二つの噴出口を対称位置に設けたローターを、主軸に回転自在に嵌合し、噴出口から高圧水を噴射させ、それによって当該ローターに回転力と推進力を与え、前進移動させながら排水管の内部を洗浄するものも考えられている。
【考案の開示】
【考案が解決しようとする課題】
【０００４】
しかし、前者の従来技術においては、噴射口から供給される噴射水が当たる部分は洗浄することができるものの、その他の部分には汚れが残存するといった問題がある。
【０００５】
また、この従来技術にあっては、排水管内の多くの部分に噴射水を当てるために多数（８個）の噴射口を設けているため、各噴射口から供給される噴射水の圧力が必ずしも十分でなく、よって、噴射水が当たる部分でも汚れが残る場合がある。
【０００６】
また、後者の従来技術におけるローターは、その回転速度が過度に上昇すると、主軸から当該ローターへ水が流れ難くなり、推進力が減退し、排水管の内部を良好に洗浄できなくなるといった問題がある。
【０００７】
本考案はこうした問題に鑑み創案されたもので、排水管の内部の汚れを確実に洗浄することのできる排水管洗浄ノズル装置を提供することを課題とする。
【課題を解決するための手段】
【０００８】
図１乃至図７を参照して説明する。請求項１に記載の考案は、排水管１の中を回転しながら前進し、高圧噴射水で前記排水管１の内部を洗浄する洗浄ノズル１０において、後半部に設けたホース連結部２６にホース２が接続され、前半部の筒状周壁に前記通水路２１に連通する孔部２２を穿設した貫通型通水路２１付主軸２０の前後方向中程外面にフランジ部２３を設け、フランジ部２３より前方の主軸２０外周は、軸支部２４を形成し、外面が中央の円筒部３５と前後のテーパー部３６，３６と前後両端の環状面３７，３７とから形成され且つ前後環状面３７，３７の中心を貫く軸受孔３８との中程に環状の空間凹部３１を形成して軸受孔３８を前後に二分し、前後の軸受孔３８，３８にはそれぞれラビリンスパッキン用環状溝３９を形成したところのローター３０の軸受孔３８を前記軸支部２４に嵌めて回動自在に軸支させ、前端にガイド形成部４１を連結したストッパー４０の後方伸長軸部４２の前後方向中程に鍔部４３を設けると共に該鍔部４３より後方の軸部４２に設けたねじ部４４を主軸２０の前端に設けた螺孔２５に捻込み、ローター３０の前後両端をフランジ部２３と鍔部４３との間に規定してローター３０の抜止めとし、該ローター３０には、前記空間凹部３１から斜め後方に鋭角な傾斜角度αで穿設され、該ローター３０に一方向への回転力と推進力を与える主噴射通路３２が一つまたは複数設けられる。また、前記空間凹部３１から前記鋭角な傾斜角度αより大きい傾斜角度βで穿設され、前記ローター３０の一方向への回転力を抑制する副噴射通路３３が設けられる。
【０００９】
さらに、前記主噴射通路３２は、前記空間凹部３１の左右端部から中心線Ｌに対して垂直方向または略垂直方向に向けて形成される。また、前記副噴射通路３３は、前記空間凹部３１の左右周端部から中心線Ｌに対して垂直方向または略垂直方向に向けて形成される。
【考案の効果】
【００１０】
請求項１に記載の排水管洗浄ノズル装置のローター３０は、その空間凹部３１から斜め後方に鋭角な傾斜角度αで、当該ローター３０に一方向への回転力と推進力を与える主噴射通路３２が一つまたは複数設けられると共に、鋭角な傾斜角度αより大きな傾斜角度βで、前記ローター３０の一方向への回転力を抑制する副噴射通路３３が設けられているので、排水管１内部の汚れを確実に除去することができる。
【００１１】
すなわち、主噴射通路３２から噴射される高圧噴射水の働きによって、ローター３０は回転しながら前進するので、当該主噴射通路３２および副噴射通路３３の両方から噴射される高圧噴射水は、排水管１内部の全面に衝突する。従って、従来技術のように回転しないで単に前進するのとは異なり、全ての汚れを確実に取り除くことができる。
【００１２】
また、主噴射通路３２から噴射される高圧噴射水によってローター３０は一方向に回転するが、その回転速度が過度に上昇すると、主軸２０からローター３０へ水が流れ難くなり、推進力が減退したり、ローター３０と主軸２０等の金属同士のいわゆる食い付きが発生して円滑な回転が持続出来なくなったりして、洗浄効果が低下してしまう。本考案では、副噴射通路３３によって、ローター３０の回転力を抑制するので、こうした問題を未然に防止し、汚れを長時間連続して除去することができる。
【００１３】
また、主噴射通路３２は、空間凹部３１の左右端部から中心線Ｌに対して垂直方向または略垂直方向に向けて形成されると共に、副噴射通路３３は、空間凹部３１の左右周端部から中心線Ｌに対して垂直方向または略垂直方向に向けて形成されているので、主噴射通路３２から噴射する噴射水によってローター３０を、例えば、半時計周り方向に回転させ、副噴射通路３３から噴射する噴射水によってローター３０に時計回り方向への回転力を与えることができる。これによって、ローター３０の反時計回り方向への回転を抑制し、当該ローター３０と主軸２０との過回転による食い付きを未然に防止することができる。これにより、排水管内部の汚れを、長時間にわたって効果的に取り除くことができる。
【考案を実施するための最良の形態】
【００１４】
本考案に係る排水管洗浄ノズル装置の第一実施形態を、図１乃至図４に示す。これは、家庭のディスポーザー（生ゴミ粉砕器）を備えた台所における排水管１の中を回転しながら前進し、高圧噴射水で排水管１の内部に堆積した卵の殻や油脂類などの汚物を洗浄する洗浄ノズル１０を構成するローター３０である。なお、この洗浄ノズル１０は、ローター３０の他に、主軸２０とストッパー４０を備える。
【００１５】
主軸２０は、その長手方向の全長にわたって通水路２１を有し、後半部のホース連結部２６に、可撓性で長さが１０ｍ以上の高圧ホース２が接続される。ホース連結部２６の構造は、用途に応じて種種変化する。主軸２０の前後方向中程外面にフランジ部２３を設け、フランジ部２３より前方の主軸２０外周は、軸支部２４を形成し、外面が中央の円筒部３５と前後のテーパー部３６，３６と前後両端の環状面３７，３７とから形成され且つ前後環状面３７，３７の中心を貫く軸受孔３８とその中程に環状の空間凹部３１を形成して軸受孔３８を前後に二分してある。
【００１６】
前後の軸受孔３８，３８にはそれぞれラビリンスパッキン用環状溝３９を形成したところのローター３０の軸受孔３８を前記軸支部２４に嵌めて回動自在に軸支させてある。
【００１７】
前端にガイド形成部４１を連結したストッパー４０の後方伸長軸部４２の前後方向中程に鍔部４３を設けると共に該鍔部４３より後方の軸部４２に設けたねじ部４４を、円環板状スペーサー５０を配して主軸２０の前端に設けた螺孔２５に捻込んである。
【００１８】
ローター３０の前後両端をフランジ部２３と鍔部４３との間に規定してローター３０の抜止めとしてある。
【００１９】
ローター３０は、主軸２０の前半部に回転自在に嵌合し、内周面の中央部分に孔部２２を介して通水路２１に連通する空間凹部３１を有する。また、ストッパー４０は、主軸２０の前半部に着脱自在に螺合組付きして、主軸２０の通水路２１を塞ぐ。このローター３０は、例えば、ステンレス鋼、真ちゅう、または四ふっ化エチレン樹脂製で形成することができる。
【００２０】
そして、ローター３０には、その空間凹部３１から斜め後方に鋭角な傾斜角度α（ここでは、５５°〜６０°）で、当該ローター３０に反時計回り方向への回転力と前方への推進力を与える主噴射通路３２が対向して二つ設けられている。また、空間凹部３１から、鋭角な傾斜角度αより大きな傾斜角度β（９０°）で、当該ローター３０に時計回り方向への回転力を与え、反時計回り方向への回転力を抑制する副噴射通路３３が対向して二つ設けられている。副噴射通路３３の出口には、高圧噴射水の噴射方向を考慮し、その表面が真円となるようにザグリ３４が形成されている。
【００２１】
また、本実施形態では、図２に示すように、ローター３０に反時計回り方向への回転力を与えるために、主噴射通路３２が、空間凹部３１の左右端部から中心線Ｌに対して垂直方向に向けて形成されている。また、ローター３０に時計回り方向への回転力を与えるために（反時計回り方向への回転力を抑えるために）、副噴射通路３３が、空間凹部３１の左右周端部から同じく中心線Ｌから垂直方向に向けて形成されている。なお、主噴射通路３２および副噴射通路３３の中心線Ｌに対する形成角度は直角に限定されるものではなく、それに近く、効果的に反時計回り方向および時計回り方向に回転力を与えることができる角度であれば良い。
【００２２】
なお、本実施形態では、ローター３０とストッパー４０との間に四ふっ化エチレン樹脂製のスペーサー５０を設けている。また、ストッパー４０の先端部に、ローター３０より小径で球形のガイド形成部４１を設けているが、ガイド形成部４１の構造は、用途に応じて種種変化する。
【００２３】
本実施形態におけるローター３０を備えた排水管洗浄ノズル１０においては、当該ローター３０に、主噴射通路３２と副噴射通路３３が設けられているので、排水管１内部の汚れを確実に除去することができる。すなわち、主噴射通路３２から噴射される高圧噴射水の働きによって、ローター３０は回転しながら前進するので、当該主噴射通路３２および副噴射通路３３の両方から噴射される高圧噴射水は、排水管１内部の全面に衝突する。従って、全ての汚れが確実に除去される。
【００２４】
また、主噴射通路３２から噴射される高圧噴射水によってローター３０は反時計回り方向に回転するが、この回転力を、副噴射通路３３によって抑制するので、ローター３０と主軸２０の食い付きが未然に防止され、汚れを長時間連続して除去することができる。
【００２５】
なお、本実施形態に係るローター３０を構成部品とする洗浄ノズル１０は、ローター３０とストッパー４０との間に四ふっ化エチレン樹脂製のスペーサー５０を設けているので、ローター３０の回転をより円滑なものとすることができ、排水管内部の汚れをさらに効果的に取り除くことが可能となっている。なお、ローター３０とスペーサー５０は、消耗後、主軸２０から簡単に取り外して交換することができる。
【００２６】
また、この洗浄ノズル１０は、ストッパー４０の先端部に、ローター３０より小径でかつ球形のガイド部４１を設けているので、このガイド部４１が、ローター３０を、例えば、直角に曲折した排水管１内部の奥深くまで円滑に案内する。従って、排水管１内部の汚れをさらに良好に除去することができる。
【００２７】
なお、本実施形態で示す洗浄ノズル１０には、図４に示すように、ストッパー４０のガイド部４１に、ジグザグに曲折した排水管１内の通過を容易にすべく、複数の案内部材６０を直列状に装着している。この複数の案内部材６０は、湾曲状に９０°に折れ曲がる。これによって、排水管１の９０度のコーナー部より先の奥に至るまで、汚れを良好に取り除くことができる。
【００２８】
本考案に係る排水管洗浄ノズル用ローター３０の第二実施形態を、図５乃至図７に示す。このローター３０は、主噴射通路３２が斜め後方に鋭角な傾斜角度α（３０°）で形成されると共に、副噴射通路３３がそれより大きな傾斜角度β（４５°）で形成されている。また、主噴射通路３２の口径が、副噴射通路３３のそれよりやや大きく設定されている。これにより、第一実施形態と同様に、ローター３０の回転を適度に抑制して当該ローター３０と主軸２０との食い付きを防止し、排水管１の内部の汚れを効果的に除去することができる。
【００２９】
なお、上記二つの実施形態に係るローター３０には、主噴射通路３２および副噴射通路３３をそれぞれ二つずつ設けられているが、これによって、各通路からの高圧噴射水を強力なものとすることができ、排水管内部の汚れを、より効果的に除去することができる。ちなみに、各通路の数を増やすと（例えば、従来技術のように８個設けると）、各通路から噴射される噴射水の圧力が低下し、汚れを確実に落とすことができなくなる。
【００３０】
また、上記実施形態においては、主噴射通路３２の口径が、副噴射通路３３の口径よりも大きく設定されているが、本考案はこれに限定されるものではなく、前者を後者より小さくしたり、また、同一に設定することもできる。また、主噴射通路３２および副噴射通路３３の傾斜角度α，βも適宜設定することができる。これらは、希望するローター３０の回転数や推進力によって適宜設定することができる。
【実施例】
【００３１】
表１は、副噴射口３３を設けない比較例と、副噴射口３３を設けた実施例との比較表である。
【００３２】
【表１】
0003112808.tif 000003
【図面の簡単な説明】
【００３３】
【図１】本考案に係る排水管洗浄ノズル装置の第一実施形態を示す側面半断面図である。
【図２】図１に示す排水管洗浄ノズル装置の右正面図（背面図）である。
【図３】図１に示す排水管洗浄ノズル装置のローターの縦断面図である。
【図４】図１に示す排水管洗浄ノズル装置に案内部材が取り付けられた状態を示す側面図である。
【図５】本考案に係る排水管洗浄ノズル装置の第二実施形態を示す側面半断面図である。
【図６】図５に示す排水管洗浄ノズル装置の右正面図（後面図）である。
【図７】図５に示す排水管洗浄ノズル装置のローターの縦断面図である。
【符号の説明】
【００３４】
１        排水管
２        ホース
１０      排水管洗浄ノズル装置
２０      主軸
２１      通水路
２２      孔部
２３      フランジ部
２４      軸支部
２５      螺孔
２６      ホース連結部
３０      ローター
３１      空間凹部
３２      主噴射通路
３３      副噴射通路
３４      ザグリ
３５      円筒部
３６      テーパー部
３７      環状面
３８      軸受孔
３９      ラビリンスパッキン用環状溝
４０      ストッパー
４１      ガイド形成部
４２      後方伸長軸部
４３      鍔部
４４      ねじ部
５０      スペーサー
６０      案内部材
Ｌ        中心線
α        傾斜角度
β        傾斜角度
【図１】
0003112808.tif 000004
【図２】
0003112808.tif 000005
【図３】
0003112808.tif 000006
【図４】
0003112808.tif 000007
【図５】
0003112808.tif 000008
【図６】
0003112808.tif 000009
【図７】
0003112808.tif 000010